(57)【特許請求の範囲】
【請求項１】
情報を表示する表示領域（１１）の縁部（１１ａ）に、光を透過させることで発光する発光部（１７）が形成される表示装置であって、
前記発光部を形成する表示板（３０）と、
前記表示板の背面方向（ＢＤ）に当該表示板に沿って配置される回路基板（４０）と、
前記回路基板のうちで前記発光部を背面方向へ投影した投影範囲（ＰＡ）外であり、且つ、当該投影範囲よりも前記回路基板の中央寄りに位置し、前記発光部を発光させる光を放出する光源（４２）と、
前記光源及び前記表示板の間に位置して当該光源から放出された光を外周側へ向けて反射させる内周側反射壁（６１，２６１）、及び前記発光部の背面方向に位置して前記内周側反射壁により反射された光を正面方向（ＦＤ）の当該発光部へ向けて反射させる外周側反射壁（６４）、を有し、前記回路基板を収容するケース体（５０）と、を備え、
前記外周側反射壁は、前記内周側反射壁を背面方向へ投影した空間（ＰＳ）を避けて形成され、
前記ケース体は、
前記内周側反射壁の外周側の縁部（６１ｃ）から背面方向へ向けて立設され、前記光源から前記発光部へ向かう直射光（ＤＬ）を遮る遮光壁（６２，２６２）と、
前記外周側反射壁から前記遮光壁に板状に延設される連結壁（６６）と、を有することを特徴とする表示装置。
【請求項２】
前記遮光壁のうちで前記回路基板と対向する頂面（６２ａ，２６２ａ）は、当該回路基板の板面方向に沿った平面状に形成されることを特徴とする請求項１に記載の表示装置。
【請求項３】
前記内周側反射壁と前記遮光壁との間には、前記正面方向に窪む凹溝（６３，２６３）が形成されることを特徴とする請求項１又は２に記載の表示装置。
【請求項４】
前記ケース体は、前記回路基板の外周側を囲む外周壁（６５）、をさらに有し、
前記外周側反射壁は、前記外周壁に対して傾斜した姿勢にて当該外周壁から立設されることを特徴とする請求項１〜３のいずれか一項に記載の表示装置。
【請求項５】
前記外周側反射壁は、立設方向の先端に位置する頂面（６４ｄ）により、前記回路基板を支持することを特徴とする請求項４に記載の表示装置。
【請求項６】
前記連結壁は、前記内周側反射壁と前記外周側反射壁とを、前記遮光壁と共に繋ぐことを特徴とする請求項１〜５のいずれか一項に記載の表示装置。
【請求項７】
前記発光部は、帯状に延伸する形状であり、
前記光源は、前記発光部の延伸方向（ＥＤ）に沿って前記回路基板上に複数並べられ、
前記連結壁は、各前記光源の外周側にて各当該光源に対し周方向にずれて位置し、前記遮光壁と前記外周側反射壁とを繋ぐことを特徴とする請求項１〜６のいずれか一項に記載の表示装置。
【請求項８】
前記連結壁は、前記光源から放出された光を前記外周側反射壁へ向けて反射させることを特徴とする請求項１〜７のいずれか一項に記載の表示装置。
【発明の詳細な説明】
【技術分野】
【０００１】
本発明は、表示領域に情報を表示する表示装置に関する。
【背景技術】
【０００２】
従来、例えば特許文献１には、光を透過させることで意匠部を発光させる表示装置において、回路基板のうちで意匠部を背面方向へ投影した投影範囲外に、意匠部を発光させるための光源を配置する構成が開示されている。この表示装置では、光源から放出された光は、光源及び文字板の間に位置する壁部と、意匠部の背面方向に位置する壁部によって順に反射され、意匠部を透過照明する。
【先行技術文献】
【特許文献】
【０００３】
【特許文献１】特開２０１３−２４２２６６号公報
【発明の概要】
【発明が解決しようとする課題】
【０００４】
さて、本発明の発明者は、特許文献１の意匠部のような透過照明される発光部を、表示装置に規定された表示領域の縁部に形成することを試みた。すると、回路基板のうちで発光部を背面方向へ投影した投影範囲内に、光源を配置するための十分な面積を確保することが困難であることが明らかとなった。そのため本発明の発明者は、特許文献１のように、投影範囲外に配置した光源の光を複数の壁部にて反射させることにより、発光部を発光させる構成の適用を検討した。
【０００５】
ここで、表示領域の縁部に発光部を形成する表示装置では、反射のための壁部は、ケース体の一部として、表示装置の剛性及び強度の確保に寄与する必要がある。故に、複数の壁部は、互いに連続した形態であることが望ましい。しかし、特許文献１のように複数の壁部が表示方向において互い重なって配置された構成では、各壁部を形成する難易度は、非常に高くならざるを得なかった。
【０００６】
本発明は、このような問題に鑑みてなされたものであって、その目的は、量産性が確保され、且つ、剛性の維持と表示領域の縁部に形成された発光部のむらの低減とが実現された表示装置を提供することにある。
【課題を解決するための手段】
【０００７】
上記目的を達成するために、請求項１に記載の発明は、情報を表示する表示領域（１１）の縁部（１１ａ）に、光を透過させることで発光する発光部（１７）が形成される表示装置であって、発光部を形成する表示板（３０）と、表示板の背面方向（ＢＤ）に当該表示板に沿って配置される回路基板（４０）と、回路基板のうちで発光部を背面方向へ投影した投影範囲（ＰＡ）外であり、且つ、当該投影範囲よりも回路基板の中央寄りに位置し、発光部を発光させる光を放出する光源（４２）と、光源及び表示板の間に位置して当該光源から放出された光を外周側へ向けて反射させる内周側反射壁（６１，２６１）、及び発光部の背面方向に位置して内周側反射壁により反射された光を正面方向（ＦＤ）の当該発光部へ向けて反射させる外周側反射壁（６４）、を有し、回路基板を収容するケース体（５０）と、を備え、外周側反射壁は、内周側反射壁を背面方向へ投影した空間（ＰＳ）を避けて形成され、ケース体は、内周側反射壁の外周側の縁部（６１ｃ）から背面方向へ向けて立設され、光源から発光部へ向かう直射光（ＤＬ）を遮る遮光壁（６２，２６２）と、外周側反射壁から遮光壁に板状に延設される連結壁（６６）と、を有することを特徴としている。
【０００８】
この発明によれば、回路基板を収容しているケース体の外周部分において、内周側反射壁と外周側反射壁とが連続した構造となる。故に、ケース体の剛性確保が容易となる。加えて外周側反射壁は、内周側反射壁を背面方向へ投影した空間を避けて形成されている。このように外周側反射壁及び内周側反射壁の重なりを回避することで、連続した外周側反射壁及び内周側反射壁の形成が実現容易となる。そして、光源から放出された光は、内周側反射壁及び外周側反射壁によって反射されることで、拡散されつつ発光部から射出される。したがって、表示装置は、量産性を確保されたうえで、ケース体の剛性の維持とむらの低減された発光部の発光とを実現することができる。
【０００９】
尚、上記括弧内の参照番号は、本発明の理解を容易にすべく、後述する実施形態における具体的な構成との対応関係の一例を示すものにすぎず、本発明の範囲を何ら制限するものではない。
【図面の簡単な説明】
【００１０】
【図１】本発明の一実施形態によるコンビネーションメータの正面図である。
【図２】コンビネーションメータの機械的構成を示す図であって、図１のＩＩ−ＩＩ線断面図である。
【図３】照明構造の詳細を示す図である。
【図４】図３のＩＶ−ＩＶ線断面図である。
【図５】図２の変形例を示す図である。
【発明を実施するための形態】
【００１１】
図１に示す本発明の一実施形態によるコンビネーションメータ１００は、車両に搭載される車両用の表示装置である。コンビネーションメータ１００は、車両の車室内に設けられたインスツルメントパネル内に収容されている。コンビネーションメータ１００は、図１に示す正面側の表示領域１１を運転席へ向けた姿勢にて、インスツルメントパネル等に取り付けられている。尚、以下の説明では、コンビネーションメータ１００の表示領域１１が向けられている方向を正面方向ＦＤとし、この正面方向ＦＤとは反対の方向を背面方向ＢＤとする（図２参照）。
【００１２】
コンビネーションメータ１００は、車両に関する種々の情報を表示領域１１に表示する。表示領域１１には、例えばタコメータ１０に加えて、スピードメータ、ハイブリッドシステムインジケータ、水温計、燃料計、油温計、バッテリ残量計等の複数の指針表示部を設けることが可能である。
【００１３】
タコメータ１０は、表示領域１１において円形状に形成されている。タコメータ１０は、車両に搭載されている内燃機関の出力軸の回転速度を、情報として表示領域１１に指針表示する。タコメータ１０の表示は、指針２０及び表示板３０等によって形成される。指針２０は、表示板３０に沿って回転する。指針２０は、タコメータ１０の径方向ＲＤに沿って延伸するポインタ２１を有している。ポインタ２１は、透光性の樹脂材料によって棒状に形成されている。指針２０は、ポインタ２１を発光させることができる。
【００１４】
図１及び図２に示す表示板３０は、ポリカーボネート樹脂等の透光性の樹脂材料によって薄板状に形成されている。表示板３０には、遮光性及び透光性の塗料を用いた印刷等により、複数の発光意匠１３が形成されている。発光意匠１３は、正面方向ＦＤへ光を透過させることによって発光する。発光意匠１３は、内燃機関の回転速度を示すための表示構成として、目盛１４、数字１５、及びゾーン部１７を有している。
【００１５】
目盛１４は、ポインタ２１先端の回転軌道に沿って、互いに間隔を開けつつ、円環状に配置されている。数字１５は、目盛１４の内周側に配置されている。目盛１４及び数字１５は、例えば夜間及びトンネル内等の車両周囲が暗い状態である場合に、発光表示される。ゾーン部１７は、目盛１４の外周側に設けられており、表示領域１１の縁部１１ａに位置している。ゾーン部１７は、タコメータ１０の周方向を延伸方向ＥＤとして、帯状に延伸する形状である。ゾーン部１７は、赤色に発光表示されることで、内燃機関の回転速度の上限領域、所謂レッドゾーンを示している。ゾーン部１７は、例えばコンビネーションメータ１００が作動状態にある場合には、常時発光表示される。
【００１６】
以上の指針２０及び表示板３０は、回路基板４０と共に、筐体５０に収容されている。回路基板４０は、板状に形成され、表示板３０の背面方向ＢＤに、当該表示板３０に沿って配置されている。回路基板４０には、車両の情報を表示領域１１に表示させるための電子回路が形成されている。回路基板４０の両面のうちで、正面方向ＦＤに位置する実装面には、表示板光源４１及びゾーン光源４２が実装されている。表示板光源４１は、目盛１４及び数字１５を発光させる光を放出することができる。ゾーン光源４２は、ゾーン部１７を発光させる光を放出することができる。各光源４１，４２は、例えば発光ダイオード及び冷陰極管等である。加えて回路基板４０には、指針２０を回転させるステッパモータ、並びに各光源４１，４２の発光及びステッパモータの回転を制御するマイクロコンピュータ等が実装されている。
【００１７】
筐体５０は、フロントパネル５１、周壁部材５２、ケース本体５３、及びリヤカバー５４等を互いに組み付けることによって構成されている。フロントパネル５１は、透光性の樹脂材料によって形成されている。周壁部材５２、ケース本体５３、及びリヤカバー５４は、ポリプロピレン樹脂及びＡＢＳ樹脂等の樹脂材料によって形成されている。周壁部材５２は、周壁部５２ａを有している。周壁部５２ａは、表示領域１１の周囲を囲む形状により、当該表示領域１１の見返し板（ウインドプレート）を形成している。周壁部５２ａの正面方向ＦＤの端部には、フロントパネル５１が嵌めこまれている。
【００１８】
ケース本体５３は、周壁部材５２の背面方向ＢＤに位置している。ケース本体５３は、周壁部５２ａ及び表示板３０等を背面側から支持し、回路基板４０を正面側から支持している。リヤカバー５４は、有底の容器状に形成され、ケース本体５３に背面側から取り付けられている。ケース本体５３及びリヤカバー５４は、回路基板４０を収容する空間を形成している。
【００１９】
次に、ゾーン部１７を発光させるための照明構造７０の詳細を、図２〜図４に基づいて説明する。
【００２０】
コンビネーションメータ１００は、目盛１４及び数字１５から独立したゾーン部１７の発光を実現するために、ゾーン部１７を照明する照明構造７０を備えている。照明構造７０は、図２及び図３に示すように、ケース本体５３のうちで、ゾーン部１７の背面方向ＢＤに設けられた複数の壁部等によって構成されている。照明構造７０は、ゾーン光源４２から放出された光を、ゾーン部１７に導く機能を有している。
【００２１】
ゾーン光源４２は、回路基板４０のうちで、ゾーン部１７を背面方向ＢＤへ投影した投影範囲ＰＡ外に位置している。こうしたゾーン光源４２の配置は、ゾーン部１７の直下である投影範囲ＰＡが回路基板４０の外縁４０ａであるために、ゾーン光源４２の配置が困難であることに起因している。故に、ゾーン光源４２は、投影範囲ＰＡよりも回路基板４０の中央寄りに位置している。ゾーン光源４２は、回路基板４０のうちでゾーン部１７よりもタコメータ１０の内周側となる範囲に、複数（三つ）実装されている。複数のゾーン光源４２は、ゾーン部１７の延伸方向ＥＤであるタコメータ１０の周方向に沿って、回路基板４０上に等間隔で並べられている。
【００２２】
ケース本体５３は、表示板３０と回路基板４０との間に、照明構造７０を構成する複数の壁部として、内周側反射壁６１、遮光壁６２、外周側反射壁６４、及び連結壁６６を有している。
【００２３】
内周側反射壁６１は、ゾーン光源４２と表示板３０との間に位置している。内周側反射壁６１は、僅かに湾曲しつつ、タコメータ１０の周方向に沿って延設されており、内周側に僅かに湾曲した板状に形成されている。内周側反射壁６１は、外周側へ向かうに従って正面方向ＦＤに傾斜している。内周側反射壁６１の内周側の縁部６１ｂは、ゾーン光源４２の内周側にて、回路基板４０を支持している。内周側反射壁６１の外周側の縁部６１ｃは、ゾーン光源４２の外周側にて、表示板３０を支持している。内周側反射壁６１は、第一反射壁面６１ａ及び表示反射壁面６１ｄを形成している。
【００２４】
第一反射壁面６１ａは、遮光壁６２の両面のうちで背面方向ＢＤに位置する壁面である。第一反射壁面６１ａは、ゾーン光源４２の正面方向ＦＤに位置して、ゾーン光源４２から放出された照明光ＩＬを外周側へ向けて反射させることができる。表示反射壁面６１ｄは、遮光壁６２の両面のうちで正面方向ＦＤに位置する壁面である。表示反射壁面６１ｄは、表示板光源４１から放出された照明光ＩＬを、正面方向ＦＤの各目盛１４へ向けて反射させることができる。
【００２５】
遮光壁６２は、内周側反射壁６１の外周側の縁部６１ｃから、背面方向ＢＤへ向けて板状に立設されている。遮光壁６２は、タコメータ１０の周方向に沿って僅かに湾曲した形状である。遮光壁６２は、内周側反射壁６１と一体的な構成とされている。遮光壁６２は、ゾーン光源４２の外周側、且つゾーン部１７の内周側に位置している。遮光壁６２は、ゾーン光源４２及びゾーン部１７の間にて、ゾーン光源４２からゾーン部１７へ向かう直射光ＤＬを遮ることができる。遮光壁６２は、回路基板４０と対向する頂面６２ａを形成している。頂面６２ａは、回路基板４０の板面方向に沿った平面状に形成されている。頂面６２ａは、ゾーン光源４２から放出された光を外周側へ向けて反射させることができる。
【００２６】
遮光壁６２は、内周側反射壁６１との間に凹溝６３を形成している。凹溝６３は、ゾーン光源４２の正面方向ＦＤに位置し、遮光壁６２の頂面６２ａから正面方向ＦＤに窪んでいる。凹溝６３は、内周側反射壁６１及び遮光壁６２と同様に、タコメータ１０の周方向に沿って延伸している。こうした凹溝６３の形成により、径方向ＲＤにおける第一反射壁面６１ａの幅が拡大されている。
【００２７】
外周側反射壁６４は、内周側反射壁６１の外周側、且つ、ゾーン部１７の背面方向ＢＤに位置している。外周側反射壁６４は、内周側に僅かに湾曲しつつ、タコメータ１０の周方向に沿って延設されている。外周側反射壁６４は、ケース本体５３において回路基板４０の外周側を囲むよう形成された外周壁６５から、内周側へ向けて立設されている。外周側反射壁６４は、外周壁６５に対して傾斜した姿勢に立設されている。外周側反射壁６４は、立設方向の先端に位置する頂面６４ｄを回路基板４０に接触させている。外周側反射壁６４は、内周側反射壁６１と同様に、内周側へ向かうに従って背面方向ＢＤに傾斜している。外周側反射壁６４は、頂面６４ｄを含む内周側の縁部６４ｂにより、回路基板４０を支持している。
【００２８】
外周側反射壁６４は、内周側反射壁６１と連続することにより、各ゾーン光源４２の周囲を全周に亘って囲む筒状の囲繞壁を形成している（図３参照）。外周側反射壁６４は、内周側反射壁６１を背面方向ＢＤへ投影した投影空間ＰＳを避けて形成されている。そのため、外周側反射壁６４の内周側の縁部６４ｂは、内周側反射壁６１の外周側の縁部６１ｃよりも、外周側に位置している。外周側反射壁６４は、第一反射壁面６１ａの外周側に第二反射壁面６４ａを形成している。第二反射壁面６４ａは、径方向ＲＤにおいて第一反射壁面６１ａと対向している。外周側反射壁６４は、内周側反射壁６１により反射されたゾーン光源４２からの照明光ＩＬを、第二反射壁面６４ａによって正面方向ＦＤのゾーン部１７へ向けて反射させることができる。
【００２９】
図３及び図４に示す連結壁６６は、延伸方向ＥＤにおいて互いに隣接する各ゾーン光源４２の中間に配置されている。二つの連結壁６６は、ゾーン光源４２の外周側であって、ゾーン光源４２に対して周方向にずれて位置している。連結壁６６は、外周側反射壁６４及び外周壁６５から径方向ＲＤに沿って遮光壁６２へ向けて延設されており、略三角板状の補強部を形成している。連結壁６６は、遮光壁６２と共に内周側反射壁６１及び外周側反射壁６４を繋いでいる。連結壁６６の高さは、各ゾーン光源４２の高さよりも高くされている。連結壁６６は、一対の反射側面６６ａを形成している。各反射側面６６ａは、正面方向ＦＤへ向かうに従って互いに近接するよう傾斜している。連結壁６６は、各反射側面６６ａによって各ゾーン光源４２から放出された照明光ＩＬを、外周側反射壁６４及びゾーン部１７へ向けて反射させることができる。
【００３０】
ここまで説明した本実施形態によれば、ケース本体５３は、外周部分において内周側反射壁６１と外周側反射壁６４とを連続させた筒状の構造を有している。こうした構造により、ケース本体５３、ひいては筐体５０の剛性確保は、容易となる。加えて、外周側反射壁６４は、内周側反射壁６１を背面方向ＢＤへ投影した投影空間ＰＳを避けて形成されている。このように外周側反射壁６４及び内周側反射壁６１の重なりを回避する構成であれば、連続した外周側反射壁６４及び内周側反射壁６１の形成が実現容易となる。
【００３１】
詳記すると、一般的に、外周側反射壁６４及び内周側反射壁６１を一体的に形成するケース本体５３は、金型を用いた樹脂成型によって形成される。こうしたケース本体５３の成型において、外周側反射壁６４及び内周側反射壁６１の重なりが回避されていれば、正面方向ＦＤ及び背面方向ＢＤをそれぞれ型抜きの方向とする二つの金型により、これら反射壁６１，６４の形成が実現される。このように、ケース本体５３の製造に単純な構成の金型を用いることができれば、ケース本体５３の量産性は、確保される。
【００３２】
そして、ゾーン光源４２から放出された光は、内周側反射壁６１及び外周側反射壁６４によって順に反射されることで、拡散されつつゾーン部１７から射出される。したがって、コンビネーションメータ１００は、量産性を確保されたうえで、筐体５０の剛性の維持とむらの低減されたゾーン部１７の発光とを実現することができる。
【００３３】
加えて本実施形態では、ゾーン光源４２からゾーン部１７に直線的に到達しようとする直射光ＤＬが、遮光壁６２によって遮られる。故に、直射光ＤＬによってゾーン部１７に発光むらが生じる事態は、回避される。加えて、内周側反射壁６１から立設された遮光壁６２は、内周側反射壁６１を補強するリブとして機能し得る。故に、遮光壁６２は、内周側反射壁６１、ひいてはケース本体５３及び筐体５０の剛性の向上に寄与できる。
【００３４】
また本実施形態における遮光壁６２の頂面６２ａは、回路基板４０の板面方向に沿った平面形状により、当該頂面６２ａに入射する一部の照明光ＩＬを、外周側反射壁６４へ向けて反射させることができる。その結果、ゾーン部１７を透過する光量が増加し得る。以上のように、遮光壁６２は、ゾーン部１７の明るさの向上に寄与できる。
【００３５】
さらに本実施形態によれば、凹溝６３の形成によって第一反射壁面６１ａが拡大されている。以上によれば、内周側反射壁６１により反射されてゾーン部１７を透過する光量が増えるので、ゾーン部１７は、いっそう明るく発光し得る。加えて、凹溝６３の形成によれば、内周側反射壁６１の全体が板状に形成される。その結果、内周側反射壁６１を樹脂成型する際の樹脂材料のヒケに起因して、当該内周側反射壁６１に凹みが発生する事態は、回避される。
【００３６】
加えて本実施形態のように、外周壁６５から外周側反射壁６４を立設させる構成であれば、外周側反射壁６４は、外周壁６５を補強するリブとして機能し得る。故に、外周側反射壁６４は、ケース本体５３の剛性の向上に寄与することが可能となる。加えて、外周側反射壁６４は、外周壁６５に対して傾斜した姿勢により、内周側反射壁６１によって反射された光を、正面方向ＦＤのゾーン部１７へ向けて効率的に反射させることができる。
【００３７】
また本実施形態における外周側反射壁６４の頂面６４ｄは、回路基板４０と接している。故に、外周側反射壁６４及び回路基板４０間からの光の漏れは、防止され得る。以上によれば、ゾーン部１７を透過する光量の減少が抑えるので、ゾーン部１７は、さらに明るく発光可能となる。
【００３８】
さらに本実施形態のように、ゾーン部１７が帯状に延伸する形状である場合、内周側反射壁６１と外周側反射壁６４とを繋ぐ連結壁６６を設けることで、これらの反射壁６１，反射壁６４は、さらに強固に連続した構造となり得る。加えて、反射側面６６ａによる照明光ＩＬを反射させる機能の発揮によれば、ゾーン部１７を透過する光量は、さらに増加し得る。したがって、ゾーン部１７の発光輝度を高めつつ、ケース本体５３及び筐体５０の剛性向上が実現される。
【００３９】
尚、本実施形態において、ゾーン部１７が「発光部」に相当し、ゾーン光源４２が「光源」に相当し、筐体５０が「ケース体」に相当し、コンビネーションメータ１００が「表示装置」に相当する。
【００４０】
（他の実施形態）
以上、本発明による一実施形態について説明したが、本発明は、上記実施形態に限定して解釈されるものではなく、本発明の要旨を逸脱しない範囲内において種々の実施形態及び組み合わせに適用することができる。
【００４１】
上記実施形態では、それぞれ板状に形成された内周側反射壁６１及び遮光壁６２の間に凹溝６３が形成されていたが、こうした凹溝の形状は適宜変更可能である。例えば図５に示す変形例１のように、遮光壁２６２の頂面２６２ａの中央に、周方向に沿って延伸する凹溝２６３が形成されていてもよい。こうした形状の凹溝２６３であっても、内周側反射壁２６１のヒケの発生を抑制する効果は、発揮可能である。
【００４２】
上記実施形態における内周側遮光壁は、実質的に一定の壁厚にて形成されていた。そのため、第一反射壁面６１ａと表示反射壁面６１ｄとは、実質的に平行に形成されていた。しかし、第一反射壁面及び表示反射壁面は、各光源の放射光を効率的に反射するために、互いに異なる傾斜姿勢に形成可能である。こうした形態においては、内周側遮光壁は、壁厚を徐々に変化させる形状であってもよい。
【００４３】
上記実施形態では、表示領域１１の縁部１１ａに設けられる発光部として、レッドゾーンを示すゾーン部１７を例示していたが、発光部は、上述のようなゾーン部に限定されない。例えば、発光部は、表示領域の上縁に設けられたバー状の範囲に形成された複数のインジケータであってもよい。インジケータは、例えばブレーキ及び燃料残量等のウォーニングの発光表示である。さらに発光部は、表示板としての液晶表示パネルに形成された画像であってもよい。照明構造は、液晶表示パネルの縁部に形成された画像を透過照明することも可能である。
【００４４】
上記実施形態における回路基板４０は、外周壁６５との間に数ミリ程度の隙間を開けて配置されることで、ゾーン部１７の投影範囲ＰＡに外縁４０ａを位置させていた。しかし、回路基板と外周壁との間に設ける隙間が拡大された形態であれば、回路基板の全体が、投影範囲外に配置されていてもよい。
【００４５】
上記実施形態における連結壁６６は、遮光壁６２と協働で二つの反射壁６１，６４を繋ぐ構成であった。しかし、連結壁の形態は、適宜変更可能である。ケース本体の量産性を損なわないようであれば、連結壁は、径方向ＲＤに沿って延伸し、第一反射壁面と第二反射壁面とを直接的に繋ぐ構成であってもよい。さらに、連結壁は、省略可能である。
【００４６】
上記実施形態において直射光ＤＬを遮っていた遮光壁の形状は、ゾーン部とゾーン光源との位置関係に応じて適宜変更可能である。また、発光部に到達する直射光ＤＬが僅かであり、発光部の発光むらを生じさせないようであれば、遮光壁は、省略可能である。
【００４７】
以上、車両用のコンビネーションメータに本発明を適用することで、タコメータのレッドゾーンが確実に発光表示される例を説明したが、本発明の適用範囲は、こうした形態に限定されない。例えば、タコメータとは異なる指針表示部に形成された発光意匠、並びに上述したようなインジケータ及び液晶表示部等を発光表示させる表示装置にも、本発明は適用可能である。さらに、車両に搭載される表示装置に限らず、各種民生用機器、各種輸送機器等に用いられる表示装置全般に、本発明は適用可能である。
【符号の説明】
【００４８】
１１  表示領域、１１ａ  縁部、１７  ゾーン部（発光部）、３０  表示板、４０  回路基板、４２  ゾーン光源（光源）、５０  筐体（ケース体）、６１，２６１  内周側反射壁、６１ｃ  縁部、６２，２６２  遮光壁、６２ａ，２６２ａ  頂面、６３，２６３  凹溝、６４  外周側反射壁、６４ｄ  頂面、６５  外周壁、６６  連結壁、１００  コンビネーションメータ（表示装置）、ＢＤ  背面方向、ＦＤ  正面方向、ＥＤ  延伸方向、ＤＬ  直射光、ＰＡ  投影範囲、ＰＳ  投影空間
【図１】
0006507889.tif 000002
【図２】
0006507889.tif 000003
【図３】
0006507889.tif 000004
【図４】
0006507889.tif 000005
【図５】
0006507889.tif 000006